(57)【要約】【課題】記録したＲＡＷ動画を再生する際に、動画撮影中にユーザが確認した表示を再現することのできる技術を提供する。【解決手段】本発明の画像処理システムは、ＲＡＷ動画を、記憶部に記録するとともに、現像処理を施して電子ビューファインダで表示可能な撮像装置と、記憶部に記録されたＲＡＷ動画を現像処理を施して表示装置で表示する再生装置と、を有する。撮像装置は、ＲＡＷ動画を記憶部に記録する際に、所定の画像処理が施されて電子ビューファインダで表示された期間を表す処理期間情報を更に記録する。再生装置は、記憶部に記録されたＲＡＷ動画を現像処理を施して表示装置で表示する際に、処理期間情報で表される期間については所定の画像処理が施されて表示され、他の期間については所定の画像処理が施されずに表示されるように表示装置で表示される画像を切り替える制御を行う。【選択図】図１
2012100022.tif 000002
【特許請求の範囲】
【請求項１】
被写体を撮影して得られたＲＡＷ動画を、記憶部に記録するとともに、現像処理を施して電子ビューファインダで表示可能な撮像装置と、
前記記憶部に記録されたＲＡＷ動画を現像処理を施して表示装置で表示する再生装置と、
を有する画像処理システムであって、
前記撮像装置は、
現像処理が施されたＲＡＷ動画に対し所定の画像処理を施す第１画像処理手段と、
前記被写体を撮影して得られたＲＡＷ動画を前記現像処理を施して前記電子ビューファインダで表示する際に、前記第１画像処理手段で前記所定の画像処理を施して表示するか否かを制御する第１制御手段と、
前記被写体を撮影して得られたＲＡＷ動画を前記記憶部に記録する際に、前記所定の画像処理が施されて前記電子ビューファインダで表示された期間を表す処理期間情報を更に記録する記録手段と、
を有し、
前記再生装置は、
現像処理が施されたＲＡＷ動画に対し前記所定の画像処理を施す第２画像処理手段と、
前記記憶部に記録されたＲＡＷ動画を現像処理を施して前記表示装置で表示する際に、前記処理期間情報で表される期間については前記第２画像処理手段で前記所定の画像処理が施されて表示され、他の期間については前記第２画像処理手段で前記所定の画像処理が施されずに表示されるように前記表示装置で表示される画像を切り替える制御を行う第２制御手段と、
を有する
ことを特徴とする画像処理システム。
【請求項２】
前記第２制御手段は、前記表示装置で表示される画像を、前記所定の画像処理が施されない画像と前記所定の画像処理が施された画像との間で切り替える際に、一方の画像から他方の画像へ徐々に近づける制御を行う
ことを特徴とする請求項１に記載の画像処理システム。
【請求項３】
前記所定の画像処理は、画像の階調特性を変換する階調特性変換処理である
ことを特徴とする請求項１または２に記載の画像処理システム。
【請求項４】
被写体を撮影して得られたＲＡＷ動画を、記憶部に記録するとともに、現像処理を施して電子ビューファインダで表示可能な撮像装置であって、
現像処理が施されたＲＡＷ動画に対し所定の画像処理を施す画像処理手段と、
前記被写体を撮影して得られたＲＡＷ動画を前記現像処理を施して前記電子ビューファインダで表示する際に、前記画像処理手段で前記所定の画像処理を施して表示するか否かを制御する制御手段と、
前記被写体を撮影して得られたＲＡＷ動画を前記記憶部に記録する際に、前記所定の画像処理が施されて前記電子ビューファインダで表示された期間を表す処理期間情報を更に記録する記録手段と、
を有することを特徴とする撮像装置。
【請求項５】
記憶部に記録されたＲＡＷ動画を現像処理を施して表示装置で表示する再生装置であって、
現像処理が施されたＲＡＷ動画に対し所定の画像処理を施す画像処理手段と、
前記記憶部に記録されたＲＡＷ動画を現像処理を施して前記表示装置で表示する際に、前記記憶部に記録された処理期間情報で表される、前記所定の画像処理が施されて撮像装
置の電子ビューファインダで表示された前記ＲＡＷ動画の期間については、前記画像処理手段で前記所定の画像処理が施されて表示され、他の期間については前記画像処理手段で前記所定の画像処理が施されずに表示されるように前記表示装置で表示される画像を切り替える制御を行う制御手段と、
を有することを特徴とする再生装置。
【発明の詳細な説明】
【技術分野】
【０００１】
本発明は、画像処理システムに関する。
【背景技術】
【０００２】
現行製品のデジタルカメラには、ＲＡＷ静止画データ（ＲＡＷ静止画）とＪＰＥＧ画像データ（ＪＰＥＧ画像）を同時記録する機能を有するものがある。また、デジタルカメラには、記録するＪＰＥＧ画像に対し適用するトーンカーブを制御する機能が搭載されつつある。
これは、ＲＡＷ静止画に現像処理を施して、ＪＰＥＧ画像やＲＧＢ画像（ＲＧＢ画像データ）などの画像を生成（以下、現像と呼ぶ）する際に、現像された画像に対し適用するトーンカーブを制御するものである（例えば特許文献１参照）。
本機能により、逆光で暗くなった顔を明るく見せたり、全体的にトーンの暗いシーンを明るく見せたりすることができる。
これらの効果は、撮影時に参照可能な電子ビューファインダ（ＥＶＦ）で表示された画像で確認することができるが、記録（保存）されるＲＡＷ静止画には反映されない。
静止画撮影中に上記制御機能のＯＮ／ＯＦＦを行った場合、静止画再生時に同じ効果を再現するためには、ユーザがトーンカーブ制御の有無を指定して現像すればよい。
【先行技術文献】
【特許文献】
【０００３】
【特許文献１】特開２００１−５４０１４号公報
【発明の概要】
【発明が解決しようとする課題】
【０００４】
しかしながら、被写体を撮影してＲＡＷ動画データ（ＲＡＷ動画）を生成可能なカメラに前述の従来技術を適用すると、上記制御機能による効果は、動画撮影中にＥＶＦで表示された画像で確認することができるが、記録されるＲＡＷ動画には反映されない。そのため、上記制御機能の適用期間がわからなければ、記録したＲＡＷ動画を再生する装置では、動画撮影中にユーザが確認した表示を正確に再現することができない。
【０００５】
そこで本発明は、記録したＲＡＷ動画を再生する際に、動画撮影中にユーザが確認した表示を再現することのできる技術を提供することを目的とする。
【課題を解決するための手段】
【０００６】
本発明の画像処理システムは、被写体を撮影して得られたＲＡＷ動画を、記憶部に記録するとともに、現像処理を施して電子ビューファインダで表示可能な撮像装置と、前記記憶部に記録されたＲＡＷ動画を現像処理を施して表示装置で表示する再生装置と、を有する画像処理システムであって、前記撮像装置は、現像処理が施されたＲＡＷ動画に対し所定の画像処理を施す第１画像処理手段と、前記被写体を撮影して得られたＲＡＷ動画を前記現像処理を施して前記電子ビューファインダで表示する際に、前記第１画像処理手段で前記所定の画像処理を施して表示するか否かを制御する第１制御手段と、前記被写体を撮影して得られたＲＡＷ動画を前記記憶部に記録する際に、前記所定の画像処理が施されて前記電子ビューファインダで表示された期間を表す処理期間情報を更に記録する記録手段と、を有し、前記再生装置は、現像処理が施されたＲＡＷ動画に対し前記所定の画像処理を施す第２画像処理手段と、前記記憶部に記録されたＲＡＷ動画を現像処理を施して前記表示装置で表示する際に、前記処理期間情報で表される期間については前記第２画像処理手段で前記所定の画像処理が施されて表示され、他の期間については前記第２画像処理手
段で前記所定の画像処理が施されずに表示されるように前記表示装置で表示される画像を切り替える制御を行う第２制御手段と、を有することを特徴とする。
【０００７】
本発明に係る撮像装置は、被写体を撮影して得られたＲＡＷ動画を、記憶部に記録するとともに、現像処理を施して電子ビューファインダで表示可能な撮像装置であって、現像処理が施されたＲＡＷ動画に対し所定の画像処理を施す画像処理手段と、前記被写体を撮影して得られたＲＡＷ動画を前記現像処理を施して前記電子ビューファインダで表示する際に、前記画像処理手段で前記所定の画像処理を施して表示するか否かを制御する制御手段と、前記被写体を撮影して得られたＲＡＷ動画を前記記憶部に記録する際に、前記所定の画像処理が施されて前記電子ビューファインダで表示された期間を表す処理期間情報を更に記録する記録手段と、を有することを特徴とする。
【０００８】
本発明に係る再生装置は、記憶部に記録されたＲＡＷ動画を現像処理を施して表示装置で表示する再生装置であって、現像処理が施されたＲＡＷ動画に対し所定の画像処理を施す画像処理手段と、前記記憶部に記録されたＲＡＷ動画を現像処理を施して前記表示装置で表示する際に、前記記憶部に記録された処理期間情報で表される、前記所定の画像処理が施されて撮像装置の電子ビューファインダで表示された前記ＲＡＷ動画の期間については、前記画像処理手段で前記所定の画像処理が施されて表示され、他の期間については前記画像処理手段で前記所定の画像処理が施されずに表示されるように前記表示装置で表示される画像を切り替える制御を行う制御手段と、を有することを特徴とする。
【発明の効果】
【０００９】
本発明によれば、記録したＲＡＷ動画を再生する際に、動画撮影中にユーザが確認した表示を再現することができる。
【図面の簡単な説明】
【００１０】
【図１】実施例１，２に係る画像処理システムの構成の一例を示す図。
【図２】実施例１に係る撮像装置の動作の一例を説明するための図。
【図３】トーンカーブの一例を示す図。
【図４】ヒストグラムの一例を示す図。
【図５】実施例１に係る再生装置の動作の一例を説明するための図。
【図６】実施例２に係る撮像装置の動作の一例を説明するための図。
【図７】実施例２に係る再生装置の動作の一例を説明するための図。
【発明を実施するための形態】
【００１１】
＜実施例１＞
図１は本実施例に係る画像処理システムの構成図である。
本実施例に係る画像処理システムは、撮像装置１０と再生装置２０で構成される。撮像装置１０は、被写体を撮影して得られたＲＡＷ動画を、記憶部に記録するとともに、現像処理を施して電子ビューファインダ（ＥＶＦ）で表示可能な撮像装置である。再生装置２０は、上記記憶部に記録されたＲＡＷ動画を現像処理を施して表示装置で表示する。ユーザは、撮像装置１０で撮影を行い、撮影した動画を再生装置２０で再生して鑑賞する。
【００１２】
以下、撮像装置１０の各部の機能について説明する。なお、詳細は後述し、ここでは各部の機能の概略を述べる。
【００１３】
撮像部１０１は、光学レンズ、イメージセンサー、Ａ／Ｄ変換部などから構成され、被写体を撮影して得られたＲＡＷ動画を出力する。ＲＡＷ動画は、デモザイク処理、色空間変換処理などの現像処理が施されていない動画である。
ＲＡＷ動画記録部１０２は、撮像部１０１より出力されたＲＡＷ動画を不図示の記録媒
体（記憶部）に記録する。なお、上記記録媒体は、撮像装置１０に固定されていてもよいし、取り外し可能であってもよい。
【００１４】
第１現像部１０３は、撮像部１０１より出力されたＲＡＷ動画に現像処理を施し、該ＲＡＷ動画を、例えば、画像サイズが横６４０×縦３６０画素のＲＧＢ動画に変換する。このＲＧＢ動画は各色８ｂｉｔのデータを持つ。
第１トーンカーブ制御部１０４は、現像処理が施されたＲＡＷ動画に対し所定の画像処理を施す（第１画像処理手段）。具体的には、第１トーンカーブ制御部１０４は、トーンカーブを用いて、第１現像部１０３より出力されたＲＧＢ動画に、画像の階調特性を変換する階調特性変換処理を施す。
【００１５】
第１表示部１０５は、現像処理が施されたＲＡＷ動画を表示する表示装置である。本実施例では、第１表示部１０５は、有効表示画素数が横６４０×縦３６０画素の液晶表示装置であり、トーンカーブ制御部１０４より出力されたＲＧＢ動画を表示する。ユーザは第１表示部１０５をＥＶＦとして使用する。
第１操作部１０６は、動作開始・終了ボタン、撮影開始・終了ボタン、トーンカーブ制御適用ボタンなどから構成される。ユーザは、第１操作部１０６を用いて撮像装置１０を操作する。
【００１６】
本実施例では、被写体を撮影して得られたＲＡＷ動画を現像処理を施してＥＶＦで表示する際に、第１トーンカーブ制御部１０４で上記所定の画像処理を施して表示するか否かが、不図示の制御部（第１制御手段）により制御される。具体的には、ユーザが第１操作部１０６を用いてトーンカーブ制御の開始を指示してから終了を指示するまでの間、第１トーンカーブ制御部１０４は入力された画像を階調特性変換処理を施して第１表示部１０５へ出力する。そして、他の期間には、第１トーンカーブ制御部１０４は入力された画像を（階調特性変換処理を施さずに）そのまま第１表示部１０５へ出力する。
そして、本実施形態では、ＲＡＷ動画記録部１０２が、被写体を撮影して得られたＲＡＷ動画を記憶部に記録する際に、所定の画像処理が施されてＥＶＦで表示された期間を表す処理期間情報を更に記憶する（記録手段）。即ち、処理期間情報として、階調特性変換処理が行われている期間を表す情報が更に記憶される。
【００１７】
以下、再生装置２０の各部の機能を説明する。なお、詳細は後述し、ここでは各部の機能の概略を述べる。
【００１８】
ＲＡＷ動画読み出し部１２１は、ＲＡＷ動画記録部１０２が記録したＲＡＷ動画を記録媒体から読み出す。なお、動画の読み出しは、撮像装置１０と再生装置２０を接続して行われてもよいし、記録媒体を撮像装置１０から取り外し、再生装置２０（ＲＡＷ動画読み出し部１２１）へ接続して行われてもよい。
トーンカーブ変更情報抽出部１２２は、ＲＡＷ動画読み出し部１２１が読み出したＲＡＷ動画を分析する。
【００１９】
第２現像部１２３は、第１現像部１０３と同様に、ＲＡＷ動画読み出し部１２１より出力されたＲＡＷ動画に現像処理を施し、該ＲＡＷ動画を、例えば、画像サイズが横１９２０×縦１０８０画素のＲＧＢ動画に変換する。このＲＧＢ動画は各色８ｂｉｔのデータを持つ。
第２トーンカーブ制御部１２４は、第１トーンカーブ制御部１０４と同様に、現像処理が施されたＲＡＷ動画に対し所定の画像処理を施す（第２画像処理手段）。具体的には、第２トーンカーブ制御部１２４は、トーンカーブを用いて、第２現像部１２３より出力されたＲＧＢ動画に階調特性変換処理を施す。
【００２０】
γ補正部１２５は、入力されたＲＧＢ動画（第２トーンカーブ制御部１２４から出力されたＲＧＢ動画、及び、後述するＲＧＢ動画読み出し部１２８から出力されたＲＧＢ動画）に対し、γ補正処理を施す。
【００２１】
第２表示部１２６は、現像処理が施されたＲＡＷ動画を表示する表示装置である。本実施例では、第２表示部１２６は、有効表示画素数が横１９２０×縦１０８０画素の液晶表示装置であり、γ補正部１２５より出力されたＲＧＢ動画を表示する。なお、第２表示部１２６は、再生装置２０の一部であってもよいし、再生装置２０とは別体の装置であってもよい。
第２操作部１２７は、再生開始・終了ボタン、入力データ切り替えボタンなどから構成される。入力データ切り替えボタンは、γ補正部１２５に入力されるＲＧＢ動画を（第２トーンカーブ制御部１２４から出力されたＲＧＢ動画と、ＲＧＢ動画読み出し部１２８から出力されるＲＧＢ動画との間で）切り替えるためのボタンである。
【００２２】
ＲＧＢ動画読み出し部１２８は、ユーザからの指示により、記録されたＲＧＢ動画を読み出し、γ補正部１２５へ出力する。なお、読み出されるＲＧＢ動画の形式は、第２トーンカーブ制御部１２４より出力されるＲＧＢ動画の形式と同一である。
【００２３】
本実施例では、記憶部に記録されたＲＡＷ動画を現像処理を施して第２表示部１２６で表示する際に、第２表示部１２６で表示される画像を切り替える制御が不図示の制御部（第２制御手段）により行われる。具体的には、処理期間情報で表される期間については第２トーンカーブ制御部１２４で所定の画像処理が施されて表示され、他の期間については第２トーンカーブ制御部１２４で所定の画像処理が施されずに表示されるように上記制御が行われる。より具体的には、第２トーンカーブ制御部１２４がトーンカーブ変更情報抽出部１２２の分析結果に応じて制御される。
【００２４】
以下、図１〜図４を用いて、撮像装置１０の動作の詳細を説明する。
図２は、時間の流れに沿って、第１トーンカーブ制御部１０４で用いられるトーンカーブ２０１、第１表示部１０５で表示されるＲＧＢ動画２０２、記録されるＲＡＷ動画２０３を示している。
【００２５】
図２の時刻ｔ１では、ユーザが撮像装置１０の動作を開始する。撮像装置１０の動作が開始されると、撮像部１０１からＲＡＷ動画がフレーム単位で出力される。該ＲＡＷ動画は第１現像部１０３を通じてＲＧＢ動画に変換され、第１トーンカーブ制御部１０４に出力される。この時点では、トーンカーブ制御の開始が指示されていないため、第１トーンカーブ制御部１０４は、ＲＧＢ動画に対し図３（ａ）のトーンカーブＴ１を適用する。
トーンカーブは処理前の画素値と処理後の画素値を対応付ける関数（テーブル）である。図３（ａ）では、横軸を処理前の画素値、縦軸を処理後の画素値として、トーンカーブが表されている。図３（ａ）のトーンカーブＴ１は、入力値に対し処理効果を持たないトーンカーブである。例えば、処理前の値Ｉａ（Ｒ，Ｇ，Ｂ）＝（１２８，１２８，１２８）に対し、処理後の値Ｏａ（Ｒ，Ｇ，Ｂ）＝（１２８，１２８，１２８）を出力する関数である。従って、第１トーンカーブ制御部１０４に入力されたＲＧＢ動画は、そのまま第１表示部１０５で表示される。
なお、この時点では、まだＲＡＷ動画の記録は開始されていないが、ユーザは第１表示部１０５をＥＶＦとして利用して、被写体を確認することができる。
【００２６】
図２の時刻ｔ２では、ユーザが第１操作部１０６を用いて、トーンカーブ制御の開始を指示する。トーンカーブ制御の開始が指示されると、第１トーンカーブ制御部１０４は、その後に入力された画像（フレーム）に対し階調特性を変換するトーンカーブを適用する。具体的には、入力されたＲＧＢ動画のフレームから、画素値（例えば、Ｇ値）のヒスト
グラムが算出される。そして、算出されたヒストグラムに応じて使用するトーンカーブが選択される。
時刻ｔ２では、図４（ａ）のヒストグラム２が算出される。第１トーンカーブ制御部１０４は、ヒストグラム２のような、高階調側に度数が集中しているヒストグラムが算出された場合には、図３（ｂ）のトーンカーブＴ２を選択する。トーンカーブＴ２は、高階調側が強調された、コントラスト比の高い画像を作り出し、高階調側の画素値を多く含む画像を見易くする。なお、本実施例では、このように簡便なトーンカーブ制御の例を示すが、これはトーンカーブ制御の方法を限定するものではなく、画像の特徴やその他撮影条件に応じて複雑な制御を行ってもよい。
【００２７】
図２の時刻ｔ３では、ユーザが第１操作部１０６を用いて、ＲＡＷ動画の記録開始を指示する。ＲＡＷ動画の記録開始の指示により、ＲＡＷ動画記録部１０２は、撮像部１０１より出力されるＲＡＷ動画の記録を開始する。
このとき、トーンカーブ制御が行われているため、ＲＡＷ動画記録部１０２は、ＲＡＷ動画を構成する最初のフレームＦ１にフラグＴｏｎを関連づけて保存する。フラグＴｏｎは、撮像装置１０におけるトーンカーブ制御の開始を示すフラグである。
また、時刻ｔ３では、図４（ｂ）のヒストグラム３が算出される。第１トーンカーブ制御部１０４は、ヒストグラム３のような、低階調側に度数が集中しているヒストグラムが算出された場合には、図３（ｃ）のトーンカーブＴ３を選択する。トーンカーブＴ３は、低階調側が強調された、コントラスト比の低い画像を作り出し、低階調側の画素値を多く含む画像を見易くする。
【００２８】
図２の時刻ｔ４では、ユーザが第１操作部１０６を用いて、ＲＡＷ動画の記録停止を指示する。ＲＡＷ動画の記録停止の指示により、動画記録部１０２は、撮像部１０１より出力されるＲＡＷ動画の記録を停止する。
このとき、トーンカーブ制御が行われているため、ＲＡＷ動画記録部１０２は、ＲＡＷ動画を構成する最後のフレームＦｎ（ｎ番目のフレーム：ｎは正の整数）にフラグＴｏｆｆを関連づけて保存する。フラグＴｏｆｆは、撮像装置１０におけるトーンカーブ制御の停止を示すフラグである。
また、時刻ｔ４では、図４（ａ）のヒストグラム２が算出される。そのため、第１トーンカーブ制御部１０４は、時刻ｔ２と同様に、トーンカーブＴ２を選択する。
【００２９】
図２の時刻ｔ５では、ユーザが第１操作部１０６を用いて、トーンカーブ制御の停止を指示する。トーンカーブ制御の停止が指示されると、第１トーンカーブ制御部１０４は、その後に入力された画像に対し、時刻ｔ１と同様に、図３（ａ）のトーンカーブＴ１を適用する。
【００３０】
以下、図１、図３〜図５を用いて、再生装置２０の動作の詳細を説明する。
図５は、時間の流れに沿って、第２トーンカーブ制御部１２４で用いられるトーンカーブ５０１、第２表示部１２６で表示されるＲＧＢ動画５０２を示している。ここで、表示されるＲＧＢ動画は、フレームＰ１〜Ｐｎのｎ枚のフレームで構成されており、各フレームは横１９２０×縦１０８０画素の画像である。フレームＰ１〜Ｐｎは、それぞれ、図２のフレームＦ１〜Ｆｎを現像したものである。
後述の動作を開始する前に、ユーザは撮像装置１０（撮像装置１０で撮影されたＲＡＷ動画が記録された記録媒体）を、再生装置２０（ＲＡＷデータ読み出し部１２１）に接続しておく。
【００３１】
図５の時刻ｔ６では、ユーザが第２操作部１２７を用いて、ＲＡＷ動画の再生開始を指示する。ＲＡＷ動画読み出し部１２１は、該指示に応じて、記録媒体からＲＡＷ動画を読み出し、出力する。図５の例では、図２のフレームＦ１〜Ｆｎが順に読み出され、出力さ
れる。
【００３２】
第２現像部１２３は、ＲＡＷ動画読み出し部１２１より出力されたＲＡＷ動画に現像処理を施し、該ＲＡＷ動画を画像サイズが横１９２０×縦１０８０画素のＲＧＢ動画に変換する。本動作はフレームＦ１〜Ｆｎを対象として時刻ｔ７まで継続する。
【００３３】
トーンカーブ変更情報抽出部１２２は、ＲＡＷ動画を構成する各フレームＦ１〜ＦｎにフラグＴｏｎあるいはＴｏｆｆが関連づけられていないか確認し、関連づけられていれば第２トーンカーブ制御部１２４に通知する。本実施例では、時刻ｔ６に、記録媒体からＲＡＷ動画を構成する最初のフレームＦ１が読み出される。そして、フレームＦ１にはフラグＴｏｎが関連づけられているため、その旨が第２トーンカーブ制御部１２４に通知される。
【００３４】
第２トーンカーブ制御部１２４は、前述した第１トーンカーブ制御部１０４と同一動作のアルゴリズムを有する。但し、第１トーンカーブ制御部１０４と第２トーンカーブ制御部１２４とでは、処理する画像の画素数が異なる。トーンカーブ変更情報抽出部１２２により、第２トーンカーブ制御部１２４へフラグＴｏｎの通知が行われると、第２トーンカーブ制御部１２４は、入力される画像のヒストグラムに対応したトーンカーブを選択して使用するトーンカーブ制御を開始する。
時刻ｔ６〜ｔ７の期間（フラグＴｏｎ，Ｔｏｆｆで表される期間）、第２トーンカーブ制御部１２４は、図３（ｃ）のトーンカーブＴ３を使用する。
なお、Ｔｏｎが通知される以前、あるいはＴｏｆｆが通知された後は、第２トーンカーブ制御部１２４は、図３（ａ）のトーンカーブＴ１を使用する。即ち、Ｔｏｎが通知される以前、あるいはＴｏｆｆが通知された後は、第２トーンカーブ制御部１２４は、階調特性変換処理を行わない。
【００３５】
γ補正部１２５は、第２トーンカーブ制御部１２４の制御と連動して動作する。具体的には、γ補正部１２５は、第２トーンカーブ制御部１２４がトーンカーブＴ１を使用しているとき（階調変換処理を行わない場合）、図３（ｄ）のトーンカーブＧを使用する。また、第２トーンカーブ制御部１２４がトーンカーブＴ１を使用していないとき（階調変換処理を行う場合）、トーンカーブＴ１を使用する。即ち、階調特性変換処理が施されていない画像を第２表示部１２６で表示する場合には、γ補正処理を施して表示し、階調特性変換処理が施された画像を第２表示部１２６で表示する場合には、γ補正処理を施さずに表示する制御を行う。それにより、第２トーンカーブ制御部１２４がトーンカーブ制御を行っているときにはγ補正部１２５によるγ補正処理が停止され、補正効果が重複することが防止される。
図５の例では、時刻ｔ６〜ｔ７の期間、第２トーンカーブ制御部１２４はトーンカーブＴ３を使用するため、γ補正部１２５はトーンカーブＴ１を使用する。
【００３６】
図５の時刻ｔ７では、ＲＡＷ動画読み出し部１２１がＲＡＷ動画の最後のフレームＦｎを読み出す。ＦｎにはフラグＴｏｆｆが関連づけられているため、その旨が第２トーンカーブ制御部１２４へ通知される。そして、第２トーンカーブ制御部１２４やγ補正部１２５で使用されるトーンカーブが初期状態に戻される。具体的には、第２トーンカーブ制御部１２４は使用するトーンカーブをトーンカーブＴ３からトーンカーブＴ１へ変更する。また、γ補正部１２５は、使用するトーンカーブをトーンカーブＴ１からトーンカーブＧへ変更する。ただし、時刻ｔ７ではＲＡＷ動画の再生は完了しているため、トーンカーブＴ１やトーンカーブＧを用いてＲＡＷ動画が処理される訳ではない。
【００３７】
以上述べたように、本実施例では、被写体を撮影して得られたＲＡＷ動画を記憶部に記録する際に、処理期間情報が更に記録される。そして、記憶部に記録されたＲＡＷ動画を
現像処理を施して第２表示部１２６で表示する際に、処理期間情報に基づいて第２表示部１２６で表示される画像が切り替えられる。具体的には、処理期間情報で表される期間については所定の画像処理が施されて表示され、他の期間については所定の画像処理が施されずに表示されるように第２表示部１２６で表示される画像が切り替えられる。即ち、ユーザが動画撮影中に所定の画像処理を施して確認した期間だけ、再生する際にも所定の画像処理が施されて表示される。それにより、記録したＲＡＷ動画を再生する際に、動画撮影中にユーザが確認した表示を再現することができる。
【００３８】
なお、本実施例では、所定の画像処理が階調特性変換処理である場合について説明したが、所定の画像処理はこれに限らない。表示される画像に影響を与える処理であれば、どのような処理であってもよい。例えば、ホワイトバランスやフレームレートを変換する処理であってもよい。
なお、本実施例では、トーンカーブ制御部で使用するトーンカーブを切り替えることにより、階調特性変換処理を施して表示部で表示するか否かを制御する構成としたが、このような構成でなくてもよい。例えば、トーンカーブ制御部はすべてのフレームに対し階調特性変換処理を施してもよい。即ち、トーンカーブ制御部は、常に、図３（ａ）のトーンカーブＴ１以外のトーンカーブを使用してもよい。そして、トーンカーブ制御部に入力された画像を表示部で表示するか、トーンカーブ制御部から出力された画像を表示部で表示するかを切り替えることにより、階調特性変換処理を施して表示部で表示するか否かを制御してもよい。
なお、本実施例では、所定の画像処理が施されて電子ビューファインダで表示された期間の開始と終了を示す情報（フラグ）を処理期間情報としたが、処理期間情報はこれに限らない。例えば、上記期間の開始とその長さを示す情報を処理期間情報としてもよい。上記期間を表す情報であればどのような情報であってもよい。
【００３９】
＜実施例２＞
実施例１では、トーンカーブ制御の適用期間内に、撮影の開始と終了が行われた場合の例について説明した。本実施例では、撮影が行われている期間内に、トーンカーブ制御の開始と終了が行われる場合の例について説明する。
本実施例に係る画像処理システムの構成および基本動作は実施例１と同様であるため、その説明は省略する。以下では、実施例１と異なる点についてのみ説明を行う。
【００４０】
以後、図１，３，６を用いて、撮像装置１０の動作の詳細を説明する。
図６は、時間の流れに沿って、第１トーンカーブ制御部１０４で用いられるトーンカーブ６０１、第１表示部１０５で表示されるＲＧＢ動画６０２、記録されるＲＡＷ動画６０３を示している。
図６の例では、時刻ｔ６１〜ｔ６４の期間において、フレームＲ１〜Ｒｎで構成されるＲＡＷ動画が撮影される。
【００４１】
図６の時刻ｔ６１では、ユーザが第１操作部１０６を用いて、ＲＡＷ動画の記録開始を指示する。時刻ｔ６１〜ｔ６２の間は、第１トーンカーブ制御部１０４でトーンカーブＴ１が適用される。
【００４２】
図６の時刻ｔ６２では、ユーザが第１操作部１０６を用いて、トーンカーブ制御の開始を指示する。そのため、図６のフレームＲ３（トーンカーブ制御の開始直後のフレーム）はフラグＴｏｎが関連づけられて保存される。第１表示部１０５にはヒストグラムに基づいて決定されたトーンカーブを用いて階調特性が変換された画像が表示される。図６の例では、時刻ｔ６１〜ｔ６２（フレームＲ３〜Ｒｎ−３）の期間、トーンカーブＴ３が適用される。
【００４３】
図６の時刻ｔ６３では、ユーザが第１操作部１０６を用いて、トーンカーブ制御の停止を指示する。そのため、図６のフレームＲｎ−２（トーンカーブ制御の停止直後のフレーム）はフラグＴｏｆｆが関連づけられて保存される。そして、時刻ｔ６３後は、第１トーンカーブ制御部１０４でトーンカーブＴ１が適用される。
【００４４】
図６の時刻ｔ６４では、ユーザが第１操作部１０６を用いて、ＲＡＷ動画の記録停止を指示する。
以上の動作により、フレームＲ１〜Ｒｎで構成されるＲＡＷ動画が保存される。
【００４５】
次に、図１，３，７を用いて、再生装置２０の動作の詳細を説明する。
本実施例では、不図示の制御部（第２制御手段）により、第２表示部１２６で表示される画像を、所定の画像処理が施されない画像と所定の画像処理が施された画像との間で切り替える際に、一方の画像から他方の画像へ徐々に近づける制御が行われる。
【００４６】
図７は、時間の流れに沿って、第２トーンカーブ制御部１２４で用いられるトーンカーブ７０１、第２表示部１２６で表示されるＲＧＢ動画７０２を示している。ここで、表示されるＲＧＢ動画は、フレームＳ１〜Ｓｎのｎ枚のフレームで構成されており、フレームＳ１〜Ｓｎは、それぞれ、図６のフレームＲ１〜Ｒｎを現像したものである。
【００４７】
図７の時刻ｔ７１では、ユーザが第２操作部１２７を用いて、ＲＡＷ動画の再生開始を指示する。ＲＡＷ動画読み出し部１２１は、該指示に応じて、記録媒体からＲＡＷ動画を読み出し、出力する。図７の例では、図６のフレームＲ１〜Ｒｎが順に読み出され、出力される。
時刻ｔ７１〜ｔ７２の期間は、フレーム（フレームＲ１，Ｒ２）にフラグＴｏｎが関連づけられていないため、第２トーンカーブ制御部１２４でトーンカーブＴ１が使用される。
【００４８】
時刻ｔ７２で、ＲＡＷ画像読み出し部１２１がフレームＲ３を読み出す。このとき、フレームＲ３にはフラグＴｏｎが関連づけられているため、トーンカーブ変更情報抽出部１２２は、第２トーンカーブ制御部１２４に、フラグＴｏｎが関連付けられていたことを通知する。
【００４９】
第２トーンカーブ制御部１２４は、再生開始時より後にフラグＴｏｎの存在が通知されると、使用するトーンカーブを徐々に変化させる。具体的には、使用するトーンカーブを、現在使用しているトーンカーブから、再生する画像のヒストグラムから決定されたトーンカーブへ徐々に近づける。使用するトーンカーブは、例えば、現在使用しているトーンカーブと、フラグＴｏｎの存在が通知されてからｍフレーム目（ｍは正の整数）の画像のヒストグラムから決定されたトーンカーブとの間を線形補間することで算出することができる。また、現在使用しているトーンカーブと、再生する画像のヒストグラムから決定されたトーンカーブとを、フラグＴｏｎが通知されてからのフレーム数に応じた重みで重み付き平均することにより算出することができる。
【００５０】
図７の例では３フレーム目に所定の画像処理が施された画像が表示されるようにトーンカーブが徐々に変化される。即ち、図７はｍ＝３の場合の例である。
具体的には、時刻ｔ７２〜ｔ７４の期間（フレームＲ３〜〜Ｒｎ−３が読み出される期間）では、ヒストグラムから決定されるトーンカーブはトーンカーブＴ３である。そのため、図５の例では、第２トーンカーブ制御部１２４は、時刻ｔ７２〜ｔ７３の期間に、使用するトーンカーブＴｉを、図３（ｅ）の矢印で示すように、トーンカーブＴ１からトーンカーブＴ３へ徐々に変化させる。そして、時刻ｔ７３〜ｔ７４では、第２トーンカーブ制御部１２４は、トーンカーブＴ３を使用する。
【００５１】
時刻ｔ７４では、ＲＡＷ画像読み出し部１２１がフレームＲｎ−２を読み出す。このとき、フレームＲｎ−２にはフラグＴｏｆｆが関連づけられているため、トーンカーブ変更情報抽出部１２２は、第２トーンカーブ制御部１２４に、フラグＴｏｆｆが関連づけられていたことを通知する。
【００５２】
第２トーンカーブ制御部１２４は、再生停止時より前にフラグＴｏｆｆの存在が通知されると、使用するトーンカーブを徐々に変化させる。具体的には、使用するトーンカーブを、現在使用しているトーンカーブから、初期状態のトーンカーブＴ１へ徐々に近づける。
【００５３】
時刻ｔ７４の直前に使用されていたトーンカーブはトーンカーブＴ３である。そのため、図５の例では、第２トーンカーブ制御部１２４は、時刻ｔ７４〜ｔ７５の期間に、使用するトーンカーブＴｏを、図３（ｆ）の矢印で示すように、トーンカーブＴ３からトーンカーブＴ１へ徐々に変化させる。そして、時刻ｔ７５以降では、第２トーンカーブ制御部１２４は、トーンカーブＴ１を使用する。
【００５４】
第２表示部１２６で表示される画像を、所定の画像処理が施されない画像と所定の画像処理が施された画像との間で切り替える際に、一方の画像から他方の画像へ急激に切り替えると、ユーザに画面が突然変化したような違和感を与えることが考えられる。本実施例によれば、上述したように、第２表示部１２６で表示される画像を、所定の画像処理が施されない画像と所定の画像処理が施された画像との間で切り替える際に、一方の画像から他方の画像へ徐々に近づけられる。それにより、ユーザに違和感を与えることなく、動画撮影中にユーザが確認した表示を再現することができる。
なお、一方の画像から他方の画像へ急激に切り替えてもよい。即ち、フラグＴｏｎの存在が通知された直後から、再生する画像のヒストグラムから決定されたトーンカーブを使用してもよい。また、フラグＴｏｆｆの存在が通知された直後から、トーンカーブＴ１を使用してもよい。そのような構成であっても、動画撮影中にユーザが確認した表示を再現することができる。
【符号の説明】
【００５５】
１０  撮像装置
２０  再生装置
１０２  動画記録部
１０４  第１トーンカーブ制御部
１２４  第２トーンカーブ制御部
【図１】
2012100022.tif 000003
【図２】
2012100022.tif 000004
【図３】
2012100022.tif 000005
【図４】
2012100022.tif 000006
【図５】
2012100022.tif 000007
【図６】
2012100022.tif 000008
【図７】
2012100022.tif 000009